【手続補正書】
【提出日】平成17年7月13日(2005.7.13)
【手続補正１】
【補正対象書類名】明細書
【補正対象項目名】発明の名称
【補正方法】変更
【補正の内容】
【発明の名称】著作権管理装置および方法
【手続補正２】
【補正対象書類名】明細書
【補正対象項目名】特許請求の範囲
【補正方法】変更
【補正の内容】
【特許請求の範囲】
【請求項１】
配信側から著作物の内容であるコンテンツをデータ化して所定の伝送路を介して配信すると共に、受信側では、利用可能な形態で受信したコンテンツの受信料をコンテンツ単位で支払うようにした著作物配信受信システムに使用される著作権管理装置であって、
各コンテンツごとに、そのコンテンツを含む著作物の著作権に関する著作権情報を蓄積する著作権情報蓄積手段と、
配信され受信側で受信されたコンテンツ、を特定するための受信コンテンツ特定情報が受信側から送られてきた場合に、これを受信する受信手段と、
前記受信手段が受信した受信コンテンツ特定情報を基に、前記著作権情報蓄積手段を参照して、各著作物の著作権に関する管理を行う著作権管理手段と
を備えたことを特徴とする著作権管理装置。
【請求項２】
前記著作権情報蓄積手段は、
各コンテンツごとに付されたコンテンツ識別情報と、個々のコンテンツを配信する配信サービスごとに付された配信サービス識別情報とが対応付けられて登録された配信サービス識別情報データベースと、
各コンテンツごとに付されたコンテンツ識別情報と、そのコンテンツを含む著作物の著作権に関する著作権情報とが対応付けられて登録された著作権情報データベースとを含み、
前記受信コンテンツ特定情報として前記配信サービス識別情報が用いられることを特徴とする請求項１記載の著作権管理装置。
【請求項３】
前記著作権管理手段は、
前記受信手段が受信した受信コンテンツ特定情報としての配信サービス識別情報を基に、前記配信サービス識別情報データベースを検索して、該当するコンテンツ識別情報を取得し、
この取得されたコンテンツ識別情報を基に、前記著作権情報データベースを参照して、該当する著作物の著作権情報を取得し、
この取得した著作権情報を基に、その著作物の利用に対して支払うべき著作権料を算出する
ことを特徴とする請求項２記載の著作権管理装置。
【請求項４】
前記受信コンテンツ特定情報は、受信側から所定の顧客管理センタを介して送られてくるものであることを特徴とする請求項１記載の著作権管理装置。
【請求項５】
前記顧客管理センタは、受信側から送られてきた前記受信コンテンツ特定情報を基に、受信側の顧客に対して請求すべきコンテンツ受信料を算出する機能を有するものであることを特徴とする請求項４記載の著作権管理装置。
【請求項６】
前記受信手段は、さらに、
受信側の顧客に関する顧客情報をも受信可能であることを特徴とする請求項１記載の著作権管理装置。
【請求項７】
前記コンテンツは、暗号化されて配信されるものであることを特徴とする請求項１記載の著作権管理装置。
【請求項８】
前記所定の伝送路は、ディジタル衛星放送における空間伝送路であることを特徴とする請求項１記載の著作権管理装置。
【請求項９】
配信される前記コンテンツは、ディジタル化された楽曲情報を含むことを特徴とする請求項１記載の著作権管理装置。
【請求項１０】
配信コンテンツの著作権を管理する著作権管理装置であって、
前記配信コンテンツを特定するコンテンツＩＤと、前記配信コンテンツに関する著作権者情報および著作権料率情報を含む著作権情報と、を互いに対応させて蓄積する著作権情報蓄積手段と、
前記配信コンテンツを受信した受信装置における、前記配信コンテンツの視聴履歴データを受信する通信手段と、
前記コンテンツＩＤごとに、前記視聴履歴データを累積し、前記著作権情報蓄積手段に蓄積された前記著作権情報を読み出し、この読み出された著作権情報の中の前記著作権料率情報と累積された前記視聴履歴データとに基づいて著作権者ごとに著作権料を算出する著作権管理手段と
を備えたことを特徴とする著作権管理装置。
【請求項１１】
配信コンテンツの著作権を管理する著作権管理方法であって、
前記配信コンテンツを特定するコンテンツＩＤと、前記配信コンテンツに関する著作権者情報および著作権料率情報を含む著作権情報と、を互いに対応させて蓄積する第１のステップと、
前記配信コンテンツを受信した受信装置における、前記配信コンテンツの視聴履歴データを受信する第２のステップと、
前記コンテンツＩＤごとに、前記視聴履歴データを累積する第３のステップと、
前記第１のステップで蓄積された前記著作権情報を読み出し、この読み出された著作権情報の中の前記著作権料率情報と前記第３のステップで累積された前記視聴履歴データとに基づいて著作権者ごとに著作権料を算出する第４のステップと
を含むことを特徴とする著作権管理方法。
【手続補正３】
【補正対象書類名】明細書
【補正対象項目名】００１０
【補正方法】変更
【補正の内容】
【００１０】
【課題を解決するための手段】
本発明の第１の著作権管理装置は、配信側から著作物の内容であるコンテンツをデータ化して所定の伝送路を介して配信すると共に、受信側では、利用可能な形態で受信したコンテンツの受信料をコンテンツ単位で支払うようにした著作物配信受信システムに使用される著作権管理装置であって、配信対象の各コンテンツごとに、そのコンテンツを含む著作物の著作権に関する著作権情報を蓄積する著作権情報蓄積手段と、配信され受信側で受信されたコンテンツ、を特定するための受信コンテンツ特定情報が受信側から送られてきた場合に、これを受信する受信手段と、受信手段が受信した受信コンテンツ特定情報を基に、著作権情報蓄積手段を参照して、各著作物の著作権に関する管理を行う著作権管理手段とを備えている。
本発明の第２の著作権管理装置は、配信コンテンツを特定するコンテンツＩＤと、配信コンテンツに関する著作権者情報および著作権料率情報を含む著作権情報と、を互いに対応させて蓄積する著作権情報蓄積手段と、配信コンテンツを受信した受信装置における、配信コンテンツの視聴履歴データを受信する通信手段と、コンテンツＩＤごとに、視聴履歴データを累積し、著作権情報蓄積手段に蓄積された著作権情報を読み出し、この読み出された著作権情報の中の著作権料率情報と累積された視聴履歴データとに基づいて著作権者ごとに著作権料を算出する著作権管理手段とを備えている。
本発明の著作権管理方法は、配信コンテンツを特定するコンテンツＩＤと、配信コンテンツに関する著作権者情報および著作権料率情報を含む著作権情報と、を互いに対応させて蓄積する第１のステップと、配信コンテンツを受信した受信装置における、配信コンテンツの視聴履歴データを受信する第２のステップと、コンテンツＩＤごとに、視聴履歴データを累積する第３のステップと、第１のステップで蓄積された著作権情報を読み出し、この読み出された著作権情報の中の著作権料率情報と第３のステップで累積された視聴履歴データとに基づいて著作権者ごとに著作権料を算出する第４のステップとを含んでいる。
【手続補正４】
【補正対象書類名】明細書
【補正対象項目名】００１４
【補正方法】変更
【補正の内容】
【００１４】
本発明の第１の著作権管理装置、著作物配信装置または著作物配信受信システムでは、配信側より配信されたコンテンツを受信した受信側から受信コンテンツ特定情報が送られてくると、これが配信側で受信され、この受信コンテンツ特定情報に基づいて、著作権管理手段により、著作権情報蓄積手段が参照され、各著作物の著作権に関する管理が行われる。
また、本発明の第２の著作権管理装置および著作権管理方法では、コンテンツＩＤと著作権情報とが互いに対応するように蓄積されると共に、配信コンテンツ受信側から送られてきた視聴履歴データが受信されてコンテンツＩＤごとに累積される。そして、蓄積された著作権情報の中の著作権料率情報と視聴履歴データとに基づいて、著作権者ごとに著作権料の算出が行われる。
【手続補正５】
【補正対象書類名】明細書
【補正対象項目名】０１５３
【補正方法】変更
【補正の内容】
【０１５３】
【発明の効果】
以上説明したように、請求項１ないし請求項９のいずれかに記載の著作権管理装置によれば、配信側より配信されたコンテンツを受信した受信側から受信コンテンツ特定情報が送られてくると、これを配信側で受信し、この受信コンテンツ特定情報に基づいて、著作権管理手段が著作権情報蓄積手段を参照し、配信された著作物の著作権に関する管理を行うようにしたので、課金をコンテンツ単位で行うペイ・パー・ビュー方式で課金を行うようにしたシステムにおいても、配信事業者は、配信された著作物の利用状況を的確に把握することができ、その著作物についての著作権の管理を適正に行うことができるという効果を奏する。
【手続補正６】
【補正対象書類名】明細書
【補正対象項目名】０１５４
【補正方法】変更
【補正の内容】
【０１５４】
特に、請求項３記載の著作権管理装置によれば、著作権管理手段が、受信した受信コンテンツ特定情報としての配信サービス識別情報を基に、配信サービス識別情報データベースを検索して、該当するコンテンツ識別情報を取得し、この取得されたコンテンツ識別情報を基に、著作権情報データベースを参照して、該当する著作物の著作権情報を取得し、この取得した著作権情報を基に、その著作物の利用に対して支払うべき著作権料を算出するようにしたので、著作権者に対する著作権料の支払いを適正化することができるという効果を奏する。
【手続補正７】
【補正対象書類名】明細書
【補正対象項目名】０１５５
【補正方法】変更
【補正の内容】
【０１５５】
また、請求項４または請求項５記載の著作権管理装置によれば、コンテンツを受信した受信側から送られてくる受信コンテンツ特定情報が、所定の顧客管理センタを介して送られてくるようにしたので、受信側は顧客管理センタとのみ接続されていればよい。したがって、既存の著作物配信受信システムに対して本発明の著作権管理機能を追加しようとする場合であっても、受信側の加入者宅における既設の受信設備を何ら改変する必要はなく、単に配信事業者側が著作権管理手段を新たに設けてこれを顧客管理センタに接続するという改変を行うだけでよい。したがって、本発明によれば、視聴者に全く負担をかけずにシステムの変更が可能になるという効果を奏する。
【手続補正８】
【補正対象書類名】明細書
【補正対象項目名】０１５６
【補正方法】変更
【補正の内容】
【０１５６】
また、請求項６記載の著作権管理装置によれば、配信側が受信側の顧客に関する顧客情報をも受信可能であるようにしたので、市場の動向をリアルタイムでリサーチすることも可能になるという効果を奏する。
【手続補正９】
【補正対象書類名】明細書
【補正対象項目名】０１５７
【補正方法】変更
【補正の内容】
【０１５７】
また、請求項７記載の著作権管理装置によれば、コンテンツを暗号化して配信するようにしたので、不正な利用を排除することができ、システムの信頼性を担保することができるという効果を奏する。